(57)【要約】【課題】携帯端末装置の固定設置を不要にしつつ、相手側通信装置の信号電極の位置によらず電界通信の効率低下を防止する。【解決手段】相手側通信装置（３０、３０Ｂ、３０Ｃ）と同数設けられ、携帯端末装置１０を収納可能かつ取り出し可能な固定されたケース（ケース２０、２０Ｂ、２０Ｃ）と、各ケース内に配置され、携帯端末装置１０が当該ケースに収納された際に信号電極１２に容量結合するケース内電極１０１と、各相手側通信装置につき設けられ、当該相手側通信装置の信号電極３１に対向する位置に配置され、当該信号電極３１に容量結合するケース外電極（ケース外電極１０２、１０２Ｂ、１０２Ｃ）と、各ケース外電極１０２、１０２Ｂ、１０２Ｃにつき設けられ、当該ケース外電極とケース内電極とを１対１で接続する導電性ケーブル１０３とを備える。【選択図】図１
2015231054.tif 000002
【特許請求の範囲】
【請求項１】
電界通信用の信号電極を備えた携帯端末装置を複数の相手側通信装置のいずれに対しても通信可能とするための電界通信用バイパスシステムであって、
前記相手側通信装置と同数設けられ、前記携帯端末装置を収納可能かつ取り出し可能な固定されたケースと、
前記各ケース内に配置され、前記携帯端末装置が当該ケースに収納された際に前記信号電極に容量結合するケース内電極と、
前記各相手側通信装置につき設けられ、当該相手側通信装置の信号電極に対向する位置に配置され、当該信号電極に容量結合するケース外電極と、
前記各ケース外電極につき設けられ、当該ケース外電極と前記ケース内電極とを１対１で接続する導電性ケーブルと
を備えることを特徴とする電界通信用バイパスシステム。
【請求項２】
電界通信用の信号電極を備えた携帯端末装置を複数の相手側通信装置のいずれに対しても通信可能とするための電界通信用バイパスシステムであって、
前記携帯端末装置を収納可能かつ取り出し可能な固定されたケースと、
前記ケース内に配置され、前記携帯端末装置が当該ケースに収納された際に前記信号電極に容量結合するケース内電極と、
前記各相手側通信装置につき設けられ、当該相手側通信装置の信号電極に対向する位置に配置され、当該信号電極に容量結合するケース外電極と、
前記各ケース外電極につき設けられ、当該ケース外電極と前記ケース内電極とを接続する導電性ケーブルと
を備えることを特徴とする電界通信用バイパスシステム。
【請求項３】
電界通信用の信号電極を備えた携帯端末装置を複数の相手側通信装置のいずれに対しても通信可能とするための電界通信用バイパスシステムであって、
前記携帯端末装置を収納可能かつ取り出し可能な固定されたケースと、
前記ケース内に配置され、前記携帯端末装置が当該ケースに収納された際に前記信号電極に容量結合するケース内電極と、
前記各相手側通信装置につき設けられ、当該相手側通信装置の信号電極に対向する位置に配置され、当該信号電極に容量結合するケース外電極と、
前記各ケース外電極につき設けられ、当該ケース外電極に接続される導電性ケーブルと、
前記ケース内電極をいずれか１つの前記導電性ケーブルに接続する経路切替スイッチと
を備えることを特徴とする電界通信用バイパスシステム。
【請求項４】
電界通信用の信号電極を備えた携帯端末装置を複数の相手側通信装置のいずれに対しても通信可能とするための電界通信用バイパスシステムであって、
前記携帯端末装置を収納可能かつ取り出し可能な固定されたケースと、
前記ケース内に配置され、前記携帯端末装置が当該ケースに収納された際に前記信号電極に容量結合するケース内電極と、
前記各相手側通信装置につき設けられ、当該相手側通信装置の信号電極に対向する位置に配置され、当該信号電極に容量結合するケース外電極と、
前記各ケース外電極につき設けられ、当該ケース外電極に接続される導電性ケーブルと、
前記導電性ケーブルを介して受信する信号の信号強度を測定し、当該信号強度に基づいて、前記ケース内電極をいずれか１つの前記導電性ケーブルに接続する経路切替装置と
を備えることを特徴とする電界通信用バイパスシステム。
【発明の詳細な説明】
【技術分野】
【０００１】
本発明は、電界通信用バイパスシステムに関するものである。
【背景技術】
【０００２】
図９に示すように、電界通信用の携帯端末装置１０は、例えば装置本体１１を信号電極１２とグランド電極１３で挟む構造である。
【０００３】
図１０に示すように、携帯端末装置１０の通信相手である相手側通信装置３０の信号電極３１が床４０に配置される。車いす５０を使用するユーザＵが携帯端末装置１０を使用する場合、例えば携帯端末装置１０は足場５１の下に固定される。このとき、信号電極１２は信号電極３１に対向する。
【０００４】
このような配置により、信号電極１２と信号電極３１の間隔を短くできるので、信号電極１２と信号電極３１の間の信号強度を高めることができる。
【先行技術文献】
【特許文献】
【０００５】
【特許文献１】特許第４５６２７８３号公報
【発明の概要】
【発明が解決しようとする課題】
【０００６】
しかしながら、携帯端末装置１０を車いす５０に固定してしまうと、離れた場所で携帯端末装置１０を使用できず、不便である。
【０００７】
また、携帯端末装置１０を車いす５０に固定してしまうと、ユーザＵが車いす５０を離れた際、携帯端末装置１０が盗難、悪意による操作などされる虞があり、セキュリティ管理上の問題がある。
【０００８】
そこで、図１１、図１２に示すように、電界通信用の信号電極１２を備えた携帯端末装置１０を収納可能かつ取り出し可能な固定されたケース２０内に当該信号電極１２に容量結合するケース内電極１０１を配置し、携帯端末装置１０の通信相手である相手側通信装置３０の信号電極３１に対向する位置に当該信号電極３１に容量結合するケース外電極１０２を配置し、ケース内電極１０１とケース外電極１０２とを導電性ケーブル１０３で接続する。これにより、携帯端末装置１０をケース２０から取り出せ、問題が解決できる。
【０００９】
ところで、信号電極３１は床４０に配置されるとは限らず、別の場所に設置されることもある。その場合、ケース外電極１０２との距離が長くなり、電界通信の効率が低下する可能性がある。よって、これを防止すべく、信号電極３１がどこに配置されるかによって、第２の電極１０２の配置も変える必要があるが、電極の配置変えは作業を伴い、容易ではない。
【００１０】
本発明は、上記の課題に鑑みてなされたものであり、その目的とするところは、携帯端末装置の固定設置を不要にしつつ、相手側通信装置の信号電極の位置によらず電界通信の効率低下を防止できる技術を提供することにある。
【課題を解決するための手段】
【００１１】
上記の課題を解決するために、第１の本発明は、電界通信用の信号電極を備えた携帯端末装置を複数の相手側通信装置のいずれに対しても通信可能とするための電界通信用バイパスシステムであって、前記相手側通信装置と同数設けられ、前記携帯端末装置を収納可能かつ取り出し可能な固定されたケースと、前記各ケース内に配置され、前記携帯端末装置が当該ケースに収納された際に前記信号電極に容量結合するケース内電極と、前記各相手側通信装置につき設けられ、当該相手側通信装置の信号電極に対向する位置に配置され、当該信号電極に容量結合するケース外電極と、前記各ケース外電極につき設けられ、当該ケース外電極と前記ケース内電極とを１対１で接続する導電性ケーブルとを備えることを特徴とする。
【００１２】
第２の本発明は、電界通信用の信号電極を備えた携帯端末装置を複数の相手側通信装置のいずれに対しても通信可能とするための電界通信用バイパスシステムであって、前記携帯端末装置を収納可能かつ取り出し可能な固定されたケースと、前記ケース内に配置され、前記携帯端末装置が当該ケースに収納された際に前記信号電極に容量結合するケース内電極と、前記各相手側通信装置につき設けられ、当該相手側通信装置の信号電極に対向する位置に配置され、当該信号電極に容量結合するケース外電極と、前記各ケース外電極につき設けられ、当該ケース外電極と前記ケース内電極とを接続する導電性ケーブルとを備えることを特徴とする。
【００１３】
第３の本発明は、電界通信用の信号電極を備えた携帯端末装置を複数の相手側通信装置のいずれに対しても通信可能とするための電界通信用バイパスシステムであって、前記携帯端末装置を収納可能かつ取り出し可能な固定されたケースと、前記ケース内に配置され、前記携帯端末装置が当該ケースに収納された際に前記信号電極に容量結合するケース内電極と、前記各相手側通信装置につき設けられ、当該相手側通信装置の信号電極に対向する位置に配置され、当該信号電極に容量結合するケース外電極と、前記各ケース外電極につき設けられ、当該ケース外電極に接続される導電性ケーブルと、前記ケース内電極をいずれか１つの前記導電性ケーブルに接続する経路切替スイッチとを備えることを特徴とする。
【００１４】
第４の本発明は、電界通信用の信号電極を備えた携帯端末装置を複数の相手側通信装置のいずれに対しても通信可能とするための電界通信用バイパスシステムであって、前記携帯端末装置を収納可能かつ取り出し可能な固定されたケースと、前記ケース内に配置され、前記携帯端末装置が当該ケースに収納された際に前記信号電極に容量結合するケース内電極と、前記各相手側通信装置につき設けられ、当該相手側通信装置の信号電極に対向する位置に配置され、当該信号電極に容量結合するケース外電極と、前記各ケース外電極につき設けられ、当該ケース外電極に接続される導電性ケーブルと、前記導電性ケーブルを介して受信する信号の信号強度を測定し、当該信号強度に基づいて、前記ケース内電極をいずれか１つの前記導電性ケーブルに接続する経路切替装置とを備えることを特徴とする。
【発明の効果】
【００１５】
本発明によれば、携帯端末装置の固定設置を不要にしつつ、相手側通信装置の信号電極の位置によらず電界通信の効率低下を防止できる。
【図面の簡単な説明】
【００１６】
【図１】第１の実施の形態に係る電界通信用バイパスシステムの一構成例を示す図である。
【図２】第２の実施の形態に係る電界通信用バイパスシステムの一構成例を示す図である。
【図３】図２の携帯端末装置１０をケース２０に収納した様子を示す図である。
【図４】第３の実施の形態に係る電界通信用バイパスシステムの一構成例を示す図である。
【図５】図４の携帯端末装置１０をケース２０に収納した様子を示す図である。
【図６】図４の経路切替スイッチ７０の一構成例を示す図である。
【図７】第４の実施の形態に係る電界通信用バイパスシステムの一構成例を示す図である。
【図８】図７の経路切替装置７０Ａの一構成例を示す図である。
【図９】携帯端末装置１０に関する構造の一例を示す図である。
【図１０】図９の携帯端末装置１０を用いた電界通信システムの一例を示す図である。
【図１１】別の電界通信用バイパスシステムの一構成例を示す図である。
【図１２】図１１の携帯端末装置１０をケース２０に収納した様子を示す図である。
【発明を実施するための形態】
【００１７】
以下、本発明の実施の形態について図面を参照して説明する。
【００１８】
[第１の実施の形態]
図１は、第１の実施の形態に係る電界通信用バイパスシステムの一構成例を示す図である。図１の携帯端末装置１０をケース（ケース２０、２０Ｂ、２０Ｂ）に収納した様子は、図１２と同様である。
【００１９】
第１の実施の形態に係る電界通信用バイパスシステムは、電界通信用の信号電極１２を備えた携帯端末装置１０を相手側通信装置３０、３０Ｂ、３０Ｃのいずれに対しても通信可能とするための電界通信用バイパスシステムである。
【００２０】
電界通信用バイパスシステムは、相手側通信装置と同数設けられ、携帯端末装置１０を収納可能かつ取り出し可能な固定されたケース（ケース２０、２０Ｂ、２０Ｃ）と、各ケース内に配置され、携帯端末装置１０が当該ケースに収納された際に信号電極１２に容量結合するケース内電極１０１と、各相手側通信装置につき設けられ、当該相手側通信装置の信号電極３１に対向する位置に配置され、当該信号電極３１に容量結合するケース外電極（ケース外電極１０２、１０２Ｂ、１０２Ｃ）と、各ケース外電極１０２、１０２Ｂ、１０２Ｃにつき設けられ、当該ケース外電極とケース内電極とを１対１で接続する導電性ケーブル１０３とを備える。
【００２１】
信号電極３１は、例えば床４０、壁６０などに配置される。
【００２２】
ケース外電極１０２などは、例えば車いす５０の足場５１の下、車いす５０の肘掛け、車いす５０の背もたれに固定される。ケース外電極１０２などは、車いす５０の金属部分との絶縁性を確保すべく、例えば絶縁性誘電体１０４を介して足場５１などに固定される。または、ケース外電極１０２などは足場５１や肘掛けや背もたれなどに直接固定される。
【００２３】
各ケース内電極１０１、ケース外電極１０２などは、金属との短絡（ショート）を防止すべく、例えば、図示しない絶縁被覆で覆われる。
【００２４】
ケース２０、２０Ｂ、２０Ｃは、例えば車いす５０において、ユーザＵから見え、かつ、手が届く位置に固定される。ケースは、例えば、上部で開口し、下部は閉じている。
【００２５】
携帯端末装置１０は、例えば装置本体１１を信号電極１２とグランド電極１３で挟む構造である。
【００２６】
ユーザＵは、携帯端末装置１０と１つの相手側通信装置（例えば、相手側通信装置３０）とを通信させる際は、携帯端末装置１０をケース２０に収納する。前述のようにケース２０が例えば、上部で開口し、下部は閉じていることで、ユーザＵは、携帯端末装置１０を上部開口からケース２０に投げ込むようにして収納できる。この際、信号電極１２が電極１０１に対向し、容量結合する。
【００２７】
例えば、ケース２０の内側面に電極１０１を設け、ケース２０を斜めにすることで、携帯端末装置１０が無造作にケース２０に投げ込まれた場合であっても、信号電極１２と電極１０１が密着する。これにより、電界のロスを少なくできる。
【００２８】
携帯端末装置１０から相手側通信装置３０への通信時、装置本体１１から信号電極１２に信号が送られ、信号電極１２から電界が発生する。発生した電界はケース内電極１０１に伝播する。電界は空間をバイパス（迂回）し、導電性ケーブル１０３内を伝播する。電界は、導電性ケーブル１０３に接続されたケース外電極１０２から下方に放射される。電界は、信号電極３１で受信され、信号となって相手側通信装置３０に達する。逆方向の通信時、電界は逆の経路で伝播する。
【００２９】
このように携帯端末装置１０からの電界、携帯端末装置１０への電界は空間をバイパスするので、携帯端末装置１０を収納するケース２０については配置の制約を少なくできる。つまり、ユーザＵから見え、かつ、手が届く位置に携帯端末装置１０を置け、利便性が向上する。すなわち、信号電極３１の位置によらず、携帯端末装置１０を自由な位置に置くことができる。
【００３０】
また、携帯端末装置１０はケース２０から取り出せ、離れた場所で使用できるので、便利である。また、ユーザＵが車いす５０を離れる場合は、携帯端末装置１０をケース２０から取り出し、携行すればよいので、盗難、悪意による操作などの虞がなく、セキュリティ管理上の問題を解消できる。
【００３１】
また、携帯端末装置１０をケース２０Ｂ、２０Ｃに収納すれば、相手側通信装置３０Ｂ、３０Ｃとの通信が可能となる。例えば、携帯端末装置１０をケース２０に収納したままでは、電界通信の効率が極端に低下し、相手側通信装置３０Ｂ、３０Ｃとの通信は困難であるが、携帯端末装置１０をケース２０Ｂ、２０Ｃに収納すれば、電界通信の効率が高まり、通信が可能となる。
【００３２】
したがって、第１の実施の形態に係る電界通信用バイパスシステムによれば、携帯端末装置１０の固定設置を不要にしつつ、相手側通信装置の信号電極３１の位置によらず電界通信の効率低下を防止でき、通信を行うことができる
なお、相手側通信装置の数は３に限らず、２または４以上でもよい。
【００３３】
[第２の実施の形態]
図２は、第２の実施の形態に係る電界通信用バイパスシステムの一構成例を示す図である。図３は、図２の携帯端末装置１０をケース２０に収納した様子を示す図である。
【００３４】
第２の実施の形態に係る電界通信用バイパスシステムは、信号電極１２を備えた携帯端末装置１０を複数の相手側通信装置３０、３０Ｂ、３０Ｃのいずれに対しても通信可能とするための電界通信用バイパスシステムである。
【００３５】
電界通信用バイパスシステムは、携帯端末装置１０を収納可能かつ取り出し可能な固定されたケース２０と、ケース２０内に配置され、携帯端末装置１０がケース２０に収納された際に信号電極１２に容量結合するケース内電極１０１と、各相手側通信装置につき設けられ、当該相手側通信装置の信号電極に対向する位置に配置され、当該信号電極に容量結合するケース外電極（ケース外電極１０２、１０２Ｂ、１０２Ｃ）と、各ケース外電極につき設けられ、当該ケース外電極とケース内電極１０１とを接続する導電性ケーブル１０３とを備える。
【００３６】
第２の実施の形態では、携帯端末装置１０から発生する電界が３つのケース外電極１０２、１０２Ｂ、１０２Ｃに分散し、また、１つのケース外電極から発生する電界が他のケース外電極へ迂回することで電界通信の効率は多少低下するが、相手側通信装置によってケースを替える必要がなく、利便性が向上する。
【００３７】
その他については第１の実施の形態と同様なので、説明を省略する。
【００３８】
[第３の実施の形態]
図４は、第３の実施の形態に係る電界通信用バイパスシステムの一構成例を示す図である。図５は、図４の携帯端末装置１０をケース２０に収納した様子を示す図である。図６は、図４の経路切替スイッチ７０の一構成例を示す図である。
【００３９】
第３の実施の形態に係る電界通信用バイパスシステムは、信号電極１２を備えた携帯端末装置１０を複数の相手側通信装置３０、３０Ｂ、３０Ｃのいずれに対しても通信可能とするための電界通信用バイパスシステムである。
【００４０】
電界通信用バイパスシステムは、携帯端末装置１０を収納可能かつ取り出し可能な固定されたケース２０と、ケース２０内に配置され、携帯端末装置１０がケース２０に収納された際に信号電極１２に容量結合するケース内電極１０１と、各相手側通信装置につき設けられ、当該相手側通信装置の信号電極３１に対向する位置に配置され、当該信号電極３１に容量結合するケース外電極（ケース外電極１０２、１０２Ｂ、１０２Ｃ）と、各ケース外電極につき設けられ、当該ケース外電極に接続される導電性ケーブル１０３と、ケース内電極１０１をいずれか１つの導電性ケーブル１０３に接続する経路切替スイッチ７０とを備える。
【００４１】
図５に示すように、ケース内電極１０１には導電性ケーブル１０３Ａが接続される。
【００４２】
図６に示すように、経路切替スイッチ７０は、操作部７１、３つの開閉スイッチ７２を備える。開閉スイッチ７２は例えば半導体スイッチである。導電性ケーブル１０３Ａは開閉スイッチ７２の一方端子に接続され、導電性ケーブル１０３は、１対１で開閉スイッチ７２の他方端子に接続される。
【００４３】
ユーザＵが操作部７１を操作すると、開閉スイッチ７２の１つのみが閉じ、導電性ケーブル１０３Ａが、閉じた開閉スイッチ７２に接続された導電性ケーブル１０３に接続される。これにより、閉じた開閉スイッチ７２に接続された導電性ケーブル１０３、この導電性ケーブル１０３に接続されたケース外電極１０２、このケース外電極１０２に容量結合する信号電極３１を介して、この信号電極３１を有する相手側通信装置と携帯端末装置１０が通信可能となる。
【００４４】
第３の実施の形態では、第２の実施の形態のように、携帯端末装置１０から発生する電界が３つのケース外電極１０２、１０２Ｂ、１０２Ｃに分散することがなく、また、１つのケース外電極から発生する電界が他のケース外電極へ迂回することがない。よって、第２の実施の形態に比べ、電界通信の効率を高めることができる。
【００４５】
その他については第１、第２の実施の形態と同様なので、説明を省略する。
【００４６】
[第４の実施の形態]
図７は、第４の実施の形態に係る電界通信用バイパスシステムの一構成例を示す図である。図８は、図７の経路切替装置７０Ａの一構成例を示す図である。
【００４７】
第４の実施の形態に係る電界通信用バイパスシステムは、信号電極１２を備えた携帯端末装置１０を複数の相手側通信装置３０、３０Ｂ、３０Ｃのいずれに対しても通信可能とするための電界通信用バイパスシステムである。
【００４８】
電界通信用バイパスシステムは、携帯端末装置１０を収納可能かつ取り出し可能な固定されたケース２０と、ケース２０内に配置され、携帯端末装置１０がケース２０に収納された際に信号電極１２に容量結合するケース内電極１０１と、各相手側通信装置につき設けられ、当該相手側通信装置の信号電極３１に対向する位置に配置され、当該信号電極３１に容量結合するケース外電極（ケース外電極１０２、１０２Ｂ、１０２Ｃ）と、各ケース外電極につき設けられ、当該ケース外電極に接続される導電性ケーブル１０３と、導電性ケーブル１０３を介して受信する信号の信号強度を測定し、当該信号強度に基づいて、ケース内電極１０１をいずれか１つの導電性ケーブル１０３に接続する経路切替装置７０Ａとを備える。
【００４９】
図５と同様に、ケース内電極１０１には導電性ケーブル１０３Ａが接続される。
【００５０】
図８に示すように、経路切替装置７０Ａは、信号強度測定部７１Ａ、３つの開閉スイッチ７２、１つの切替スイッチ７３を備える。開閉スイッチ７２、切替スイッチ７３は例えば半導体スイッチである。導電性ケーブル１０３Ａは切替スイッチ７３の第１端子に接続され、切替スイッチ７３の第２端子は信号強度測定部７１Ａに接続される。導電性ケーブル１０３は、１対１で開閉スイッチ７２の一方端子に接続され、開閉スイッチ７２の他方端子は、切替スイッチ７３の第３端子に接続される。
【００５１】
信号強度測定部７１Ａは、切替スイッチ７３を信号強度測定部７１Ａ側に切り替えた状態で、１つの開閉スイッチ７２だけを順次に閉じ、導電性ケーブル１０３を介して受信する信号の信号強度を測定する。
【００５２】
信号強度測定部７１Ａは、最大の信号強度を検出したときに閉じていた開閉スイッチ７２のみを閉じ、切替スイッチ７３を導電性ケーブル１０３側に切り替える。
【００５３】
これにより、閉じた開閉スイッチ７２に接続された導電性ケーブル１０３、導電性ケーブル１０３に接続されたケース外電極１０２、ケース外電極１０２に容量結合する信号電極３１を介して、信号電極３１を有する相手側通信装置と携帯端末装置１０が通信可能となる。
【００５４】
第４の実施の形態では、第３の実施の形態と同様に、電界通信の効率を高められ、さらに、経路切替スイッチ７０を操作する手間を省くことができる。
【００５５】
なお、第４の実施の形態で信号強度測定部７１Ａは、予め定めた値以上の信号強度を検出したなら、つまり、通信可能な信号強度を検出したなら、そのときに閉じていた開閉スイッチ７２のみを閉じ、切替スイッチ７３を導電性ケーブル１０３側に切り替えるようにしてもよい。
【００５６】
また、信号強度測定部７１Ａは、通信が不可能となったなら、再び、切替スイッチ７３を信号強度測定部７１Ａ側に切り替えた状態で、１つの開閉スイッチ７２のみを順次に閉じ、予め定めた値以上の信号強度を検出したなら、そのときに閉じていた開閉スイッチ７２のみを閉じ、切替スイッチ７３を導電性ケーブル１０３側に切り替えるようにしてもよい。
【符号の説明】
【００５７】
１０…携帯端末装置
１１…装置本体
１２…信号電極
１３…グランド電極
２０、２０Ｂ、２０Ｃ…ケース
３０、３０Ｂ、３０Ｃ…相手側通信装置
３１…信号電極
４０…床
５０…車いす
５１…足場
５２…構造体
６０…壁
７０…経路切替スイッチ
７０Ａ…経路切替装置
１０１…ケース内電極
１０２、１０２Ｂ、１０２Ｃ…ケース外電極
１０３、１０３Ａ…導電性ケーブル
１０４…絶縁性誘電体
Ｕ…ユーザ
【図１】
2015231054.tif 000003
【図２】
2015231054.tif 000004
【図３】
2015231054.tif 000005
【図４】
2015231054.tif 000006
【図５】
2015231054.tif 000007
【図６】
2015231054.tif 000008
【図７】
2015231054.tif 000009
【図８】
2015231054.tif 000010
【図９】
2015231054.tif 000011
【図１０】
2015231054.tif 000012
【図１１】
2015231054.tif 000013
【図１２】
2015231054.tif 000014